(57)【要約】【課題】  ポインタが、メニューにおける１つの項目の表示区域上の意匠と重なることによる、項目の視認性の低下を防止する。【解決手段】  メニューの画像の生成を制御する制御処理部６２０と、制御処理部６２０の制御の下でメニューの画像を生成する画像生成処理部６５０と、を有するメニュー画像生成部２２と、生成されたメニュー画像の表示処理を行うメニュー表示処理部２４と、を有し、制御処理部６２０は、メニューにおける１つの項目の表示区域上に、直線状又は針状の前記ポインタを重畳させて表示させる場合に、位置信号が示す位置が、１つの項目の表示区域における、意匠が表示されている意匠表示領域である場合であっても、意匠表示領域を避けて、意匠表示領域の周囲の余白領域にポインタを重畳させる。【選択図】  図３
2019144813.tif 000002
【特許請求の範囲】
【請求項１】
メニュー及びポインタの表示を制御する車両用表示制御装置と、前記メニュー及び前記ポインタを表示する表示装置と、ユーザーの操作に応じて、前記ポインタの位置を指定する位置信号、及び前記メニューに含まれる１つの項目を選択するための選択信号を発生させる選択装置と、前記ユーザーによって最終的に選択された項目に対応する、車載機器の操作処理を実行する処理実行装置と、を有する車載機器操作システムに用いられる前記車両用表示制御装置であって、
前記メニューの画像の生成を制御する制御処理部と、前記制御処理部の制御の下で前記メニューの画像を生成する画像生成処理部と、を有するメニュー画像生成部と、
生成されたメニュー画像の表示処理を行う表示処理部と、
を有し、
前記メニュー画像生成部における前記制御処理部は、
前記メニューにおける１つの項目の表示区域上に、直線状又は針状の前記ポインタを重畳して表示させる場合に、前記位置信号が示す位置が、前記１つの項目の表示区域における、意匠が表示されている意匠表示領域である場合であっても、前記意匠表示領域を避けて、前記意匠表示領域の周囲の余白領域に前記ポインタを重畳させる、
ことを特徴とする車両用表示制御装置。
【請求項２】
前記メニューにおける１つの項目の表示区域は、第１の線分を境界線として、隣接する他の１つの項目の表示区域と区画され、第２の線分を境界線として、隣接するさらに他の１つの項目の表示区域と区画され、
前記直線状又は針状のポインタは、前記第１及び前記第２の線分の一方から、他方に向かって移動し、
前記直線状又は針状のポインタの先端点が、前記第１及び前記第２の線分の一方から、他方へと至るまでに移動する距離をＬとするとき、前記直線状又は針状のポインタの先端点が（Ｌ／２）の距離を移動するまでに、前記直線状又は針状のポインタが通過する領域であって、前記１つの項目の表示区域の面積を２等分した領域を第１の領域とし、前記１つの項目の表示区域における、前記第１の領域以外の、前記第１の領域と同じ面積の領域を第２の領域とする場合に、
前記メニュー画像生成部における前記制御処理部は、
前記直線状又は針状のポインタが、前記第１の領域にある場合には、前記第１の領域内の、前記意匠表示領域の周囲の第１の余白領域に前記ポインタを重畳させ、
前記直線状又は針状のポインタが、前記第２の領域にある場合には、前記第２の領域内の、前記意匠表示領域の周囲の第２の余白領域に前記ポインタを重畳させる、
ことを特徴とする請求項１に記載の車両用表示制御装置。
【請求項３】
前記メニュー画像生成部における前記制御処理部は、
前記意匠表示領域の周囲の余白領域に前記ポインタを重畳させる際、前記１つの項目の表示区域に隣接する、他の表示区域との境界線から所定距離の範囲内を、重畳表示禁止領域とし、前記重畳表示禁止領域を避けて前記ポインタを重畳させる、
ことを特徴とする請求項１又は２に記載の車両用表示制御装置。
【請求項４】
前記メニュー画像生成部における前記制御処理部は、
前記意匠表示領域の周囲の余白領域に前記ポインタを重畳させる際、前記直線状又は針状のポインタの長さを変化させる、ことを特徴とする請求項１乃至３の何れか１項に記載の車両用表示制御装置
【請求項５】
前記メニュー画像生成部における前記画像生成処理部が生成する前記メニューの画像は、原点を有し、前記原点から外側に向かう複数の放射状の直線によって、前記メニューの表示領域が区画されてなるラジアルメニューの画像である、ことを特徴とする、請求項１乃至４の何れか１項に記載の車両用表示制御装置。
【請求項６】
請求項１乃至５の何れか１項に記載の車両用表示制御装置と、
前記メニュー及び前記ポインタを表示する表示装置と、
ユーザーの操作に応じて、前記ポインタの位置を指定する位置信号、及び前記メニューに含まれる１つの項目を選択するための選択信号を発生させる選択装置と、
前記ユーザーによって最終的に選択された項目に対応する、車載機器の操作処理を実行する処理実行装置と、
を有する車載機器操作システム。
【請求項７】
コンピュータを、請求項１乃至５の何れか１項に記載の車両用表示制御装置として動作させる、ＧＵＩ（グラフィカルユーザーインターフェース）プログラム。
【発明の詳細な説明】
【技術分野】
【０００１】
本発明は、例えば自動車等の車両に搭載される車両用表示制御装置、車載機器操作システム、及びＧＵＩプログラム等に関する。
【背景技術】
【０００２】
ＧＵＩ（グラフィカルユーザーインターフェース)は、マウスなどのポインティングデバイスを使用して、直感的にコンピュータを操作できるようにしたヒューマンインターフェース技術の一種であり、従来、ＧＵＩを用いて表示装置にメニューを表示し、所望の項目を選択できるようにすることが知られている。
【０００３】
車両用ポインティングデバイス（選択装置）を用いて、ユーザーが、ブラインド操作で、メニューの項目を選択できるようにした車載機器操作システムについては、例えば、特許文献１に記載されている。
【先行技術文献】
【特許文献】
【０００４】
【特許文献１】特開２００４−３４５５４９号公報
【発明の概要】
【発明が解決しようとする課題】
【０００５】
ユーザーが車両用ポインティングデバイス（選択装置）を操作すると、ポインタの位置を指定する位置信号が生成、出力（言い換えれば、発生）され、その位置信号に基づいて、例えば、直線状あるいは針状のポインタが移動し、メニュー内の、１つの項目の表示区域に重なる。
【０００６】
言い換えれば、直線状あるいは針状のポインタによって、１つの項目が指し示されるが、このとき、ポインタが、その項目の表示区域内の意匠（項目に関係するアイコン、文字、図形等の形状、記号、模様、色彩等であり、これらの結合も含む）と重なると、ポインタの下に、その意匠が隠れてしまうことになり、項目の視認性（言い換えれば、項目に関係するアイコン等の意匠の視認性）が低下する。
【０００７】
上記の特許文献１では、この問題については何ら言及されておらず、その対策についての示唆もない。
【０００８】
本発明は、ポインタが、メニューにおける１つの項目の表示区域上の意匠と重なることによる、項目の視認性の低下を防止することを目的とする。
【０００９】
本発明の他の目的は、以下に例示する態様及び最良の実施形態、並びに添付の図面を参照することによって、当業者に明らかになるであろう。
【課題を解決するための手段】
【００１０】
以下に、本発明の概要を容易に理解するために、本発明に従う態様を例示する。
【００１１】
第１の態様において、車両用表示制御装置は、
メニュー及びポインタの表示を制御する車両用表示制御装置と、前記メニュー及び前記ポインタを表示する表示装置と、ユーザーの操作に応じて、前記ポインタの位置を指定する位置信号、及び前記メニューに含まれる１つの項目を選択するための選択信号を発生させる選択装置と、前記ユーザーによって最終的に選択された項目に対応する、車載機器の操作処理を実行する処理実行装置と、を有する車載機器操作システムに用いられる前記車両用表示制御装置であって、
前記メニューの画像の生成を制御する制御処理部と、前記制御処理部の制御の下で前記メニューの画像を生成する画像生成処理部と、を有するメニュー画像生成部と、
生成されたメニュー画像の表示処理を行う表示処理部と、
を有し、
前記メニュー画像生成部における前記制御処理部は、
前記メニューにおける１つの項目の表示区域上に、直線状又は針状の前記ポインタを重畳して表示させる場合に、前記位置信号が示す位置が、前記１つの項目の表示区域における、意匠が表示されている意匠表示領域である場合であっても、前記意匠表示領域を避けて、前記意匠表示領域の周囲の余白領域に前記ポインタを重畳させる。
【００１２】
第１の態様では、位置信号が示す位置が、１つの項目の表示区域における、意匠が表示されている意匠表示領域である場合（言い換えれば、位置信号に基づくポインタの表示位置が、１つの項目の表示区域における意匠表示領域と重なる場合）には、制御処理部によって画像生成処理部が制御されて、ポインタの位置がずらされる。言い換えれば、意匠表示領域を避けて、意匠表示領域の周囲の余白領域にポインタが重畳される。よって、ポインタが、メニューにおける１つの項目の表示区域上の意匠と重なることによる、項目の視認性の低下を防止することができる。
【００１３】
第１の態様に従属する第２の態様において、
前記メニューにおける１つの項目の表示区域は、第１の線分を境界線として、隣接する他の１つの項目の表示区域と区画され、第２の線分を境界線として、隣接するさらに他の１つの項目の表示区域と区画され、
前記直線状又は針状のポインタは、前記第１及び前記第２の線分の一方から、他方に向かって移動し、
前記直線状又は針状のポインタの先端点が、前記第１及び前記第２の線分の一方から、他方へと至るまでに移動する距離をＬとするとき、前記直線状又は針状のポインタの先端点が（Ｌ／２）の距離を移動するまでに、前記直線状又は針状のポインタが通過する領域であって、前記１つの項目の表示区域の面積を２等分した領域を第１の領域とし、前記１つの項目の表示区域における、前記第１の領域以外の、前記第１の領域と同じ面積の領域を第２の領域とする場合に、
前記メニュー画像生成部における前記制御処理部は、
前記直線状又は針状のポインタが、前記第１の領域にある場合には、前記第１の領域内の、前記意匠表示領域の周囲の第１の余白領域に前記ポインタを重畳させ、
前記直線状又は針状のポインタが、前記第２の領域にある場合には、前記第２の領域内の、前記意匠表示領域の周囲の第２の余白領域に前記ポインタを重畳させてもよい。
【００１４】
第２の態様では、１つの項目の表示区域を２等分して第１、第２の領域に区分し、ポインタが第１の領域内にある場合（言い換えれば、選択装置からの位置信号が示す位置が第１の領域内を示している場合）は、意匠との重複回避のために、その第１の領域内にある
余白領域（第１の余白領域）にポインタを重畳させ、ポインタが第２の領域内にある場合（言い換えれば、選択装置からの位置信号が示す位置が第２の領域内を示している場合）は、意匠との重複回避のために、その第２の領域内にある余白領域（第２の余白領域）にポインタを重畳させることとする。
【００１５】
これによって、ユーザーは、１つの項目の表示区域の２等分線（中心線）を基準として、ポインタが、１つの境界線である第１の線分寄りの領域（第１の領域）にあるのか、他の１つの境界線である第２の線分寄りの領域（第２の領域）にあるのかを視認でき、よって、ポインタのおおよその位置を把握することがきる。
【００１６】
また、位置信号が示す位置が、第１の領域から第２の領域へと移動したときは、これに対応して、ポインタの位置も、第１の余白領域から第２の余白領域へと移動することから、ユーザーは、ポインタの移動方向を知ることができる。よって、違和感が生じない。このように、意匠との重複を避けつつ、ユーザーに違和感を生じさせずに、ポインタを無理なく移動させていくことが可能である。
【００１７】
第１又は第２の態様に従属する第３の態様において、
前記メニュー画像生成部における前記制御処理部は、
前記意匠表示領域の周囲の余白領域に前記ポインタを重畳させる際、前記１つの項目の表示区域に隣接する、他の表示区域との境界線から所定距離の範囲内を、重畳表示禁止領域とし、前記重畳表示禁止領域を避けて前記ポインタを重畳させてもよい。
【００１８】
第３の態様では、各項目の表示区域の境界に、ポインタが指すことができない領域（重畳表示禁止領域）が設定されることから、ポインタが項目の境界付近を指すことがなくなる。よって、ユーザーは、ポインタが、どの項目を指しているのかの判断に迷うことがなくなる。
【００１９】
第１乃至第３の何れか１つの態様に従属する第４の態様において、
前記メニュー画像生成部における前記制御処理部は、
前記意匠表示領域の周囲の余白領域に前記ポインタを重畳させる際、前記直線状又は針状のポインタの長さを変化させてもよい。
【００２０】
第４の態様では、ポインタの長さを自在に調整することにより、例えば、余白領域（空白領域）を、より有効に活用して、意匠とポインタとの重複を避けることが可能となる。よって、制御の自由度が向上する。
【００２１】
第１乃至第４の何れか１つの態様に従属する第５の態様において、
前記メニュー画像生成部における前記画像生成処理部が生成する前記メニューの画像は、原点を有し、前記原点から外側に向かう複数の放射状の直線によって、前記メニューの表示領域が区画されてなるラジアルメニューの画像としてもよい。
【００２２】
第５の態様では、メニュー（操作メニュー）の表示形式として、ラジアルメニュー形式を採用する。ラジアルメニューは、円を細分化する（例えば、扇形や楔（くさび）形の領域に分割する）ことで、多数の項目を、コンパクトにバランスよく配置することができる。近年、ＩＯＴ（物のインターネット）の活用によって、例えば、車両の運転者（ユーザー）が、車両を運転しながら、例えば、自宅の電気製品や給湯機器等の動作を制御することも可能となってきており、今後、メニューに表示する項目の数は、ますます増えるものと予測される。ラジアルメニューを利用した表示形式は、今後、活用の場が広がるものと考えられる。
【００２３】
第６の態様において、車載機器操作システムは、
請求項１乃至５の何れか１項に記載の車両用表示制御装置と、
前記メニュー及び前記ポインタを表示する表示装置と、
ユーザーの操作に応じて、前記ポインタの位置を指定する位置信号、及び前記メニューに含まれる１つの項目を選択するための選択信号を発生させる選択装置と、
前記ユーザーによって最終的に選択された項目に対応する、車載機器の操作処理を実行する処理実行装置と、
を有する。
【００２４】
第６の態様によれば、例えば、車両を運転中の運転者等が、ブラインド操作で、快適に車載機器を操作可能な、車載機器操作システムを実現することができる。
【００２５】
第７の態様において、ＧＵＩ（グラフィカルユーザーインターフェース）プログラムは、コンピュータを、請求項１乃至５の何れか１項に記載の車両用表示制御装置として動作させる。
【００２６】
第７の態様によれば、車両用表示に適した操作メニューの表示制御を、ソフトプログラムを用いて、簡易な構成にて実現することができる。
【００２７】
当業者は、例示した本発明に従う態様が、本発明の精神を逸脱することなく、さらに変更され得ることを容易に理解できるであろう。
【図面の簡単な説明】
【００２８】
【図１】図１は、車載機器操作システムの構成例を示す図である。
【図２】図２（Ａ）は、選択装置（車載機器操作システムに用いられるポインティングデバイス）の外観を示す図、図２（Ｂ）は、図２（Ａ）におけるＡ−Ａ線に沿う断面構造を示す図である。
【図３】図３（Ａ）は、図１の車載機器操作システムにおける、制御装置及び車両用表示制御装置（表示制御装置）の、より具体的な構成例を示す図、図３（Ｂ）は、メニュー画像生成部の構成例を示す図、図３（Ｃ）は、表示装置の構成例を示す図である。
【図４】図４（Ａ）〜図４（Ｃ）は、ラジアルメニューにおいて、項目の表示区域における意匠との重複を避けてポインタの位置を制御する場合の一例を示す図である。
【図５】図５（Ａ）〜図５（Ｃ）は、ラジアルメニューにおいて、項目の表示区域における意匠との重複を避けてポインタの位置を制御する場合の他の例を示す図である。
【図６】図６（Ａ）〜図６（Ｄ）は、位置信号と、ポインタの実際の位置との対応関係の一例を示す図である。
【図７】図７（Ａ）、図７（Ｂ）は、項目の表示区域の境界付近に、重畳表示禁止領域を設けてポインタの重畳表示を禁止する例を示す図である。
【図８】ラジアルメニューにおいて、項目の表示区域における意匠との重複を避けてポインタの位置を制御する場合に、ポインタの長さを調整する例を示す図である。
【図９】車両用表示制御処理の主要な手順の一例を示すフローチャートである。
【発明を実施するための形態】
【００２９】
以下に説明する最良の実施形態は、本発明を容易に理解するために用いられている。従って、当業者は、本発明が、以下に説明される実施形態によって不当に限定されないことを留意すべきである。
【００３０】
図１を参照する。図１は、車載機器操作システムの全体の構成例を示す図である。
【００３１】
車載機器操作システムは、表示装置１０と、入出力Ｉ／Ｆ３０（入出力インターフェース）と、制御装置２０（後述するが、表示制御装置（図３の符号２１）と、処理実行装置（図３の符号２６）と、を含んでいる）と、信号インターフェース（信号Ｉ／Ｆ）４０、５０と、ハンドル（例えばステアリングホイール）３に設けられ、ユーザー（ここでは運転者とする）が指（手）で操作可能な選択装置（入力装置）２００と、ユーザーの視線を検出する視線検出部３０１及び音声検出部３０２（これらは、例えば、選択装置２００を使用せずにメニューの項目を選択する場合に用いられる）と、制御装置２０の外部機器（車載機器）４００としての、各種のＥＣＵ（車載ＥＣＵ４０１、ナビ（ナビゲーション）ＥＣＵ４０２、オーディオＥＣＵ４０３、空調ＥＣＵ４０４、外部通信部（通信機器）４０５を含み、これらはバスＢＵＳを介して入出力Ｉ／Ｆ３０に接続されている）と、を有する。
【００３２】
表示装置１０は、実像及び虚像の画像の少なくとも一方を表示可能であり、ここでは、例えば、虚像を表示するＨＵＤ（ヘッドアップディスプレイ）装置を搭載するものとし、このＨＵＤ装置によって、ウインドシールド（フロントガラス等）２の虚像表示領域１０１（図中、破線の四角で示される虚像表示可能領域）内に虚像を表示する。
【００３３】
図１では、虚像としてのラジアルメニュー（ラジアル操作メニュー）５００（Ｖ）が表示されている。なお、符号５００（Ｖ）の「（Ｖ）」は、虚像であることを示している。
【００３４】
また、符号５０２は、ユーザーの指（手）の動き（選択装置２００が検出する）に応じて位置が変化するポインタ（ここでは、時計の針のように、時計回りあるいは反時計回りに移動する）である。このポインタは、ラジアルメニュー（ラジアル操作メニュー）５００（Ｖ）に含まれる複数の項目（操作項目）のうちの１つをポイント（指定）する機能をもつ。
【００３５】
なお、表示装置１０は、インストルパネル内又はインストルパネル上に設けられる表示パネル等の表示器であってもよく、ＨＵＤ装置と表示器とが併用されるものであってもよい。
【００３６】
ラジアルメニュー５００（Ｖ）の表示処理において、必要に応じて、外部機器（車載機器）４００から入力される各種の情報を用いることができる。
【００３７】
なお、外部機器（車載機器）４００（車載ＥＣＵ４０１、ナビＥＣＵ４０２、オーディオＥＣＵ４０３、空調ＥＣＵ４０４、外部通信部（通信機器）４０５）は、外部機器情報を、バスＢＵＳを介して入出力Ｉ／Ｆ３０に送る。
【００３８】
ここで、車載（車両）ＥＣＵ４０１は、車両１の走行モード（ＥＣＯモード、ＳＰＯＲＴモード）、平均燃費、走行可能距離（航続可能距離）、水温、油温などを出力可能である。制御装置２０に含まれる表示制御装置（図３の符号２１）は、上記の情報に基づき、車両１の走行モードを示したり、選択されることで走行モードを変更可能とする画像（選択画像）を表示したり、平均燃費、走行可能距離（航続可能距離）、水温、油温等を表示したりする。１つの項目が選択された場合には、さらに、車両１に関する詳細情報に関する項目をラジアルメニュー５００内に表示してもよい。
【００３９】
ナビＥＣＵ４０２は、次の分岐路の方向及び分岐路までの距離に関する情報や、車両１の経路付近に位置するオススメの経由地に関する施設情報や、これを経由した場合にロスする時間などの情報を出力可能である。制御装置２０に含まれる表示制御装置（図３の符号２１）は、上記の情報に基づき、例えば、次の分岐路の方向及び分岐路までの距離、経路案内のオン／オフを切り替える画像、オススメの経由地に関する施設情報、及び経由地を設定する画像等の少なくとも１つをメニューとして表示することができる。
【００４０】
オーディオＥＣＵ４０３は、オススメの音楽に関する情報などを出力可能である。制御装置２０に含まれる表示制御装置（図３の符号２１）は、上記の情報に基づき、オススメの音楽（オーディオ）に関する情報や、楽曲を選択するための画像をメニューとして表示することができる。
【００４１】
空調ＥＣＵ４０４は、現在の空調状態に関する情報等を出力可能である。制御装置２０に含まれる表示制御装置（図３の符号２１）は、上記の情報に基づき、現在の空調状態に関する情報や、空調状態を変更可能とする画像を表示することができる。
【００４２】
外部通信部４０５は、着信状態やメール受信情報など、車両１の外部からの情報を出力可能である。制御装置２０に含まれる表示制御装置（図３の符号２１）は、上記の情報に基づき、着信があること、メール受信があることを示す情報、電話を受話する又はメールを音声で読ませることが可能な画像等をメニューとして表示することができる。
【００４３】
次に、図２を参照する。図２（Ａ）は、選択装置（車載機器操作システムに用いられるポインティングデバイス）の外観を示す図、図２（Ｂ）は、図２（Ａ）におけるＡ−Ａ線に沿う断面構造を示す図である。
【００４４】
ここでは、選択装置（入力装置、あるいは操作装置と称することもある）２００が、図１において示したラジアルメニュー５００における項目を選択することに用いられることを想定して説明する。
【００４５】
図２（Ａ）に示されるように、選択装置（ポインティングデバイス）２００は、ステアリングホイール３に配設され、ユーザーの指（ここでは、例えば親指とする）の位置（言い換えれば、操作位置Ｃ）を検出する円環状の操作位置検出部２１０と、この操作位置検出部２１０と一体となって設けられ、操作位置検出部２１０が親指で押されることで、ユーザーによって選択（決定）がなされたことを検出する決定操作検出部２２０と、リターン処理を行うときに使用されるリターンスイッチ２３０と、を有する。
【００４６】
なお、上記の例では、選択装置２００の操作を指（手）で行っているが、ユーザーの、その他の身体部位を用いてもよい。
【００４７】
選択装置２００は、ユーザーの親指等が操作面に触れた位置（操作位置Ｃ）を検出するタッチセンサであり、図２（Ｂ）に示すように、表面カバー２１１と、センサシート２１２と、スペーサ２１３と、を備える。選択装置２００は、ユーザーが、親指等でその操作面上を触れる操作（以下、タッチ操作という）あるいは所定の軌跡を描くようになぞる操作（以下、ジェスチャ操作という）を行った際に、ユーザーの親指等が操作面に触れている位置（操作位置Ｃ）を検出し、ユーザーによる選択（決定）がなされると、その選択（決定）を検出して、例えば、選択（決定）がなされたことを示す信号（選択信号、言い換えれば選択（決定）検出信号）を出力する。
【００４８】
選択装置２００における表面カバー２１１は、合成樹脂等の遮光性の絶縁材料によってシート状に形成され、凸状断面の立体形状が、中心点Ｑを中心とする円の円周に沿って連続的に形成された凸部（凸領域）２１１ａ（図２（Ａ）において、放射状の模様が付された領域）と、凸部（凸領域）２１１ａに連接する比較的平坦な平坦部（平坦領域）２１１ｂと、を有する。凸部（凸領域）２１１ａは、山状の断面（凸状断面）を有し、その山（凸形状）は、中心点Ｑに向かう方向（内側）に長く、その反対方向である外側に短い輪郭線（稜線）を有する。その山（凸形状）が、中心点Ｑを中心とする円の円周に沿って、連続的に設けられることで凸部（凸領域）２１１ａが構成される。
【００４９】
また、図２（Ｂ）に記載されるように、表面カバー２１１における凸部（凸領域）２１１ａの下には、センサシート２１２が設けられており、これらを含む部分によって、上記の操作位置検出部２１０が構成される。ユーザーは、例えば、上記の凸部（凸領域）２１１ａの、長手方向（中心点Ｑに向かう方向であり、言い換えれば内側方向）の斜面を指の触感で認識することにより、操作位置検出部２１０上における指のおおよその位置を認識することができ、選択装置２００を見なくても、選択装置２００を操作することができる。言い換えれば、ブラインド操作が可能となる。なお、上記の凸部（凸領域）２１１ａが設けられない場合も想定され得るが、この場合でも、ユーザーが、中心点Ｑを中心とした円の円周に沿って手（指）の位置を移動させた場合、ユーザーは、自身が移動させた手（指）の軌跡（指等がタッチセンサの操作面に接触した位置の時間的変遷の跡）を知覚できることから、ユーザーは、自身の手の位置が、円の円周上のおおよそどの位置にあるかの見当をつけることができる。したがって、この場合でも、ブラインド操作が可能である。
【００５０】
センサシート２１２は、少なくとも凸部（凸領域）２１１ａに対応する表面カバー２１１の裏面側において、中心点Ｑを中心とする円の円周に沿って配設され、ユーザーの指の操作位置Ｃを検出して、制御装置２０（表示制御装置２１）に、ユーザーの指等の操作位置Ｃに関する情報（操作位置の情報、あるいは操作位置を示す信号）を出力する。センサシート２１２は、例えば、絞り加工により表面カバー２１１と一体成形されることで、表面カバー２１１と同様の形状に加工される（図２（Ｂ）参照）。このように一体成形されることで、表面カバー２１１とセンサシート２１２は、一枚のシートのようになり、上記の凸部（凸領域）２１１ａの段差形状は、その一枚のシートの曲がった部分（盛り上がった部分）で構成されることになる。また、このように一体成形されることで、表面カバー２１１の裏面とセンサシート２１２の表面とが当接する。これにより、表面カバー２１１の段差形状に対応して、センサシート２１２の検出部が配置されることになる。このように表面カバー２１１の段差形状に対応してセンサシート２１２の検出部が配置されているため、ユーザーの指等の移動が、凸部（凸領域）２１１ａ等の段差形状を有した操作面上で行われるものであっても、例えば表示制御装置２１が、ユーザーの指の位置を検出することが可能である。
【００５１】
スペーサ２１３は、センサシート２１２の裏面側に位置し、一体成形された表面カバー２１１とセンサシート２１２の形状に合わせて形成され、ユーザーの指等によって、表面カバー２１１が表側から押圧された際に、上記の形状を保持する部材である。
【００５２】
決定操作検出部２２０は、操作位置検出部２１０の裏面側に複数（図２（Ｂ）の例では５個）設けられる。決定操作検出部２２０は、制御装置２０（表示制御装置２１を含む）と電気的に接続されており、ユーザーが、操作位置検出部２１０の操作面（表面カバー２１１の凸部（凸領域））２１１ａを押下する操作（以下、押下操作という）を行うと、決定操作検出部２２０が押され、これによって、ユーザーによって選択（決定）がなされたことが検出され、選択（決定）がなされたことを示す信号（選択信号、言い換えれば選択（決定）検出信号）が出力される。出力された選択（決定）検出信号は、制御装置２０（表示制御装置２１を含む）に送られる。表示制御装置２１は、送られてきた選択（決定）検出信号に基づき、例えば、ラジアルメニュー５００に含まれる複数の項目のうちのどの項目が選択されたかを判定し、その選択に応じた操作メニュー画像を生成し、表示装置１０に表示する。これによって、選択された項目の内容に応じて、操作メニューの表示が切り替えられる。
【００５３】
リターンスイッチ２３０は、操作位置検出部２１０及び決定操作検出部２２０とは離れた位置にあるスイッチである。ユーザーが、リターンスイッチ２３０の操作面を押下する（言い換えれば、押下操作がなされる）と、制御装置２０内の表示制御装置２１にリターン信号が送信される。表示制御装置２１は、リターンスイッチ２３０からのリターン信号に基づき、ラジアルメニュー５００の表示を、直近の過去の操作メニュー画像に戻す。言い換えれば、直前の表示への切り替えが行われる。
【００５４】
次に、図３を参照する。図３（Ａ）は、図１の車載機器操作システムにおける、制御装置及び車両用表示制御装置（表示制御装置）の、より具体的な構成例を示す図、図３（Ｂ）は、メニュー画像生成部の構成例を示す図、図３（Ｃ）は、表示装置の構成例を示す図である。図３において、図１と共通する部分には同じ符号が付されている（この点は以下の図面でも同様である）。
【００５５】
図３（Ａ）において、制御装置２０は、表示制御装置（車両用表示制御装置）２１と、処理実行装置２６と、を有し、必要に応じて、記憶装置（不図示）に、動作ルーチンファイル２７が記憶される。
【００５６】
表示制御装置（車両用表示制御装置）２１は、メニュー画像生成部２２と、メニュー表示処理部２４と、を有しており、必要に応じて、記憶装置（不図示）内にメニューファイル２５が記憶される。
【００５７】
上記の制御装置２０の各構成は、例えば、記憶装置（不図示）に格納されているＯＳ（オペレーティングシステム）等に搭載されるＧＵＩ（グラフィカルユーザーインターフェース）プログラムに従ってＣＰＵやＭＰＵ（コンピュータ：不図示）が動作することで実現することができる。
【００５８】
表示制御装置（車両用表示制御装置）２１におけるメニュー画像生成部２２は、操作メニュー画像を生成する。例えば、予め用意されている複数のメニューファイル２５の中から使用可能なものを取り出し（読み出し）、必要な情報を画像合成で組み込むことで、複数の操作項目を含むメニュー（操作メニュー）の画像を生成する。但し、これに限定されるものではなく、記憶部（不図示）に予め記憶された配列、又は記憶部（不図示）に記憶されたプログラムにより定められた配列に従って、複数の項目を配置する（項目を画像合成する）ことで、メニュー（操作メニュー）の画像を生成してもよく、あるいは、レンダリングにより画像を生成してもよい。生成された画像は、画像ＲＡＭ（不図示）等に、一旦、蓄積される。
【００５９】
なお、表示制御装置（車両用表示制御装置）２１は、外部機器４００（車載ＥＣＵ４０１、ナビＥＣＵ４０２、オーディオＥＣＵ４０３、空調ＥＣＵ４０４、外部通信部（通信機器）４０５）からの情報を使用して画像を生成することができ、あるいは、その情報を使用せずに、記憶部（不図示）に予め記憶された画像データのみに基づき画像を生成してもよい。これによって、例えば、図１で示したラジアルメニュー５００（Ｖ）の元となる画像（元画像）を生成することができる。
【００６０】
表示制御装置（車両用表示制御装置）２１は、具体的には、例えば、階層構造を有すると共に、１つの階層の画像に複数の操作項目が含まれるメニューの表示を制御するものであり、上述のとおり、メニューの画像を生成するメニュー画像生成部２２と、生成されたメニューの画像の表示処理を行うメニュー表示処理部２４と、を有する。
【００６１】
図３（Ａ）におけるメニュー表示処理部２４は、画像ＲＡＭ（不図示）等から、生成された画像（画像データ）を読み出し、データ形式を整えたり、表示に必要な情報を付加したりし、その結果として得られた画像データを表示装置１０に送る。
【００６２】
表示される車両用メニューは、例えば階層構造を有しており、選択された１つの項目に関連付けされた下位階層のメニューがある場合は、その下位階層のメニューが順次、表示される。下位階層のない項目が選択されると、例えば、メニュー画像生成部２２から処理実行装置２６に、最終的に選択された項目の内容を示す情報が送られる。処理実行装置２６は、例えば、動作ルーチンファイル２７を参照して、実行すべき処理の具体的な内容を示すデータを取得し（但し、この動作は不要な場合もあり得る）、取得したデータを、入出力Ｉ／Ｆ３０及びバスＢＵＳを経由して、外部機器（車載機器）４００に送る。これによって、ユーザーによって選択された項目に関連付けられている処理が実行される。
【００６３】
次に、割り込み要求処理について説明する。図３（Ａ）における制御装置２０あるいは表示制御装置２１（これらは、ハードウエアとしてＣＰＵ等（不図示）と、各種プログラムを格納する記憶装置（不図示）とを有する）は、種々の要因で生じる割り込み要求に対応することが可能である。
【００６４】
外部機器４００の動作に起因して発生する割り込み要求は、例えば、車両に搭載される各種のＥＣＵ（電子制御ユニット：図１の符号４０１〜４０５）が情報を発出することで生じ得る。この場合は、例えば、その情報が、制御装置２０内のＣＰＵ等のハードウエアに伝えられ、ＣＰＵ等が、例えばＯＳ（オペレーティングシステム：ＧＵＩを含んでおり、図３（Ａ）の表示制御装置２１に対応する）に指令を送ることで、ハードウエア割り込みが生じ得る。
【００６５】
また、割り込み要求は、例えば、ユーザーが、車両用のポインティングデバイス（選択装置２００）を介さずに、音声で指示を発出したり、目のまばたきや瞳の移動等（アイコンタクト動作）によって指示を発出したりすることによっても生じ得る。この場合は、音声認識ソフトやアイコンタクト認識ソフト等が、ＯＳ（ＧＵＩを含んでおり、図３（Ａ）の表示制御装置２１に相当する）に指令を送ることで、ソフトウエア割り込みが生じ得る。このように、図３（Ａ）の制御装置２０（あるいは表示制御装置２１）は、ハードウエア割り込み、ソフトウエア割り込みのいずれにも対処することが可能である。
【００６６】
なお、図３（Ａ）では、信号インターフェース（信号Ｉ／Ｆ）としては、選択装置（入力装置あるいは操作装置）２００からの選択信号を処理する信号Ｉ／Ｆ４０、音声検出部３０２からの音声信号（音声による指令等）を処理する信号Ｉ／Ｆ５０、の２つを記載している。
【００６７】
信号Ｉ／Ｆ４０は、選択信号処理用の入出力処理プログラムに従って動作する選択信号処理用インターフェース部（不図示）を有する。また、信号Ｉ／Ｆ５０は、音声認識プログラムに従って動作する音声認識処理用インターフェース部（不図示）を有する。
【００６８】
次に、図３（Ｂ）を参照する。図３（Ｂ）に示されるように、メニュー画像生成部２２は、選択装置からの位置信号が示す位置が、１つの項目の表示区域における意匠表示領域と重複するか否かを検出する重複検出部６００と、重複が検出された場合に、その重複の態様（中心線よりも手前の領域である第１の領域で重複するのか、中心線よりも奥の領域である第２の領域で重複するのか）を検出する重複態様検出部６１０と、表示制御処理を実行する制御処理部６２０と、重複禁止領域設定部６３０と、メニューの表示態様を決定する表示態様決定部６４０（表示するべき項目を決定する表示項目決定部６４２を含む）と、制御処理部６２０の制御の下でメニュー画像を生成する画像生成処理部６５０と、重複回避処理部６６０と、を有する。
【００６９】
重複禁止領域設定部６３０は、表示項目決定部６４２が記憶しているメニューのデータに基づいて、現在表示中のメニューにおいて、どの位置に、項目に関連する意匠が配置されているかを検出し、メニュー上に重複禁止領域を設定する。
【００７０】
重複検出部６００は、選択信号からの位置信号が示す位置が、設定された重複禁止領域上にあるか否かを検出して、ポインタが重複禁止領域と重複するかを検出する。
【００７１】
重複が検出され、また、その重複の態様が検出されると、制御処理部６２０は、重複回避処理部６６０に指示して、重複を回避させるための、ポインタ位置の調整処理を実行させる。この処理は、制御処理部６２０が自ら実行してもよいが、ここでは、制御処理部６２０の負担軽減を考慮して、重複回避のための処理については、ポインタ位置の調整処理を専用的に行うべく用意されている重複回避処理部６６０に任せることとしている。
【００７２】
画像生成処理部６５０は、重複回避処理部６６０から供給される、ポインタ位置調整信号に基づいて、ポインタの位置を調整し、調整後の画像を生成する。例えば、位置信号が変化してもポインタを、第１の余白領域に留める、あるいは、位置信号が中心線を超えると、ポインタを第２の余白領域にステップ的に移動（ジャンプ）させる、といった処理が、適宜、実行され、この結果として、ポインタと意匠が重複しない画像が生成されることになる。
【００７３】
次に、図３（Ｃ）を参照する。図３（Ｃ）に示されるように、表示装置１０は、虚像の画像を表示するＨＵＤ装置５０１、及び実像の画像を表示する表示器６０１の少なくとも一方を含むことができる。なお、ＨＵＤ装置５０１は光源５０３を有しており、例えば、この光源５０３の光強度が、画像データに基づいて画素単位で変調されることで、スクリーン（不図示）上に画像が表示され、その画像の表示光が、投射光学系（不図示）を介して、図１のウインドシールド（光の一部を透過し、一部を反射する性質をもつ部材）１に投射されることで、例えば、図１で示したラジアルメニュー５００（Ｖ）が表示される。
【００７４】
次に、図４を参照する。図４（Ａ）〜図４（Ｃ）は、ラジアルメニューにおいて、項目の表示区域における意匠との重複を避けてポインタの位置を制御する場合の一例を示す図である。
【００７５】
図４（Ａ）に示されるように、メニュー（操作メニュー）の表示形式として、ラジアルメニュー形式が採用されている。ラジアルメニュー５００は、原点Ｓを有し、原点Ｓから外側に向かう複数の放射状の直線によって、メニューの表示領域が区画されてなる構成を有する。
【００７６】
ラジアルメニューは、円を細分化する（例えば、扇形や楔（くさび）形の領域に分割する）ことで、多数の項目を、コンパクトにバランスよく配置することができる。近年、ＩＯＴ（物のインターネット）の活用によって、例えば、車両の運転者（ユーザー）が、車両を運転しながら、例えば、自宅の電気製品や給湯機器等の動作を制御することも可能となってきており、今後、メニューに表示する項目の数は、ますます増えるものと予測される。
【００７７】
また、ポインタとしては、直線状あるいは針状のポインタ５０２が用いられる。「直線状」及び「針状」は、どちらも細長い点で共通するが、「針状」は、例えば一般には、先端が尖っている（先端部が先細状となっている）ものと言われることから、特に、先端の形状は問わない点を明確化するために、念のために、「直線状」という文言も明記しているものである。「直線状」の場合、ポインタは、太線のようなもの、平面視で先端部が長方形であるもの、等、細長の指示部を広く含むものであり、「針状」も、これに準じて、広く解釈するものとする。また、「直線状」及び「針状」のポインタは、少なくとも、項目を選択する際に使用される部分（特に、先端付近の部分）が、そのような形状である、ということであり、一部に、他の形状の部分が含まれる場合も含むものである（この点も、できるだけ広義に解釈するものとする）。
【００７８】
図４（Ａ）に示されるように、ラジアルメニュー５００には、５つの項目（項目の表示区域）５１０〜５１４が設けられている。言い換えれば、円が５等分されて、５つの扇形の領域が形成され、各扇形の領域に各項目が割り当てられている。
【００７９】
図４（Ａ）の例では、ポインタ５０２として、先端にいくほど先細となる針状のポインタ（言い換えれば指針）が採用されている。図４（Ａ）では、ポインタ（指針）５０２は、項目（項目の表示区域）５１３において、項目を示すアイコン（意匠）と重複している。よって、ユーザーによる項目の視認性が低下している。
【００８０】
図４（Ｂ）は、各項目の表示区域（扇形の領域）に、仮想的に中心線ＨＬ（扇形を２等分する２等分線であり、円の半径に相当するものである）を設定し、この中心線を基準として、各項目の表示区域におけるポインタ（指針）の位置が、反時計回り側の領域である第１の領域Ｚａにあるのか、時計回り側の領域である第２の領域Ｚｂにあるのか、を区別できるようにしている。
【００８１】
図４（Ｂ）の場合、ポインタ（指針）５０２は、項目の表示区域５１３において、中心線ＨＬを基準として、反時計回り側の領域である第１の領域Ｚａに位置している。
【００８２】
そこで、この場合には、図４（Ｃ）に示されるように、第１の領域Ｚａに含まれる、意匠の周囲の余白（空白）領域である第１の余白領域に、ポインタ（指針）５０２を位置させる（言い換えれば、ポインタを第１の余白領域に重畳させる）こととし、これによって、ポインタ５０２と意匠との重複を防止している。したがって、ユーザーによる、項目の視認性の低下は発生しない。
【００８３】
次に、図５を参照する。図５（Ａ）〜図５（Ｃ）は、ラジアルメニューにおいて、項目の表示区域における意匠との重複を避けてポインタの位置を制御する場合の他の例を示す図である。
【００８４】
図５（Ａ）は、図４（Ａ）と同じである。図５（Ｂ）の場合、ポインタ（指針）５０２は、項目の表示区域５１３において、中心線ＨＬを基準として、時計回り側の領域である第２の領域Ｚｂに位置している。
【００８５】
そこで、この場合には、図５（Ｃ）に示されるように、第２の領域Ｚｂに含まれる、意匠の周囲の余白（空白）領域である第２の余白領域に、ポインタ（指針）５０２を位置させる（言い換えれば、ポインタを第２の余白領域に重畳させる）こととし、これによって、ポインタ５０２と意匠との重複を防止している。したがって、ユーザーによる、項目の視認性の低下は発生しない。
【００８６】
次に、図６を参照する。図６（Ａ）〜図６（Ｄ）は、位置信号と、ポインタの実際の位置との対応関係の一例を示す図である。ここでは、選択装置からの位置信号と、ポインタ５０２の位置との関係について、具体的に説明する。
【００８７】
図６（Ａ）では、下から順に３つの項目（項目の表示区域）Ｐ、Ｑ、Ｒが配置されている。左側に矢印で示されるように、位置信号が示す位置は、上側へと移動しており、ポインタ５０２は、項目Ｐの表示区域を通過して、項目Ｑの表示区域へと入る。
【００８８】
項目Ｑの表示区域は、第１の余白領域αと、中央に位置する意匠表示領域βと、第２の余白領域γとで構成される。図３（Ｂ）で説明した重複禁止領域設定部６３０は、この意匠表示領域βに重複禁止領域を設定し、この領域におけるポインタの重複表示を禁止する。なお、意匠表示領域βは、中心線ＨＬを基準として、下側に位置する領域β１と、上側に位置する領域β２と、に区別される。
【００８９】
図６（Ｂ）では、位置信号が示す位置は、中心線ＨＬの付近にあるが、ポインタ５０２は、第１の余白領域（ここでは、第１の余白領域と意匠表示領域βとの境界付近）に留められており、これによって、ポインタの、意匠との重複が回避される。
【００９０】
図６（Ｃ）では、位置信号が示す位置が、中心線ＨＬを超える。これに伴い、ポインタ５０２は、第２の余白領域（ここでは、第２の余白領域と意匠表示領域βとの境界付近）へとステップ的に移動（ジャンプ）され、これによって、ポインタの、意匠との重複が回避される。
【００９１】
図６（Ｄ）では、位置信号が示す位置が、さらに上側に移動する。ポインタ５０２は、これに伴って、項目Ｒの表示区域へと移動する。
【００９２】
このように、ユーザーの指等による操作に応じて、ポインタが、例えば、項目の表示区域の１つの境界線である第１の線分（図６の例では、項目Ｐと項目Ｑとの境界線）から、他の１つの境界線である第２の線分（図６の例では、項目Ｑと項目Ｒとの境界線）へと向かう動きがなされる場合、ポインタが第１の領域（図６（Ａ）の例では、項目Ｑの表示区域における、中心線ＨＬよりも下側の領域）にあるとき（言い換えれば、選択装置２００からの位置信号が示す位置が第１の領域内を示している場合）は、ポインタ５０２は、第１の領域内の第１の余白領域（図６（Ｂ）における領域αである。但し、上述のとおり、意匠表示領域βとの境界領域を含むものとする）にあることから、ユーザーは、中心線ＨＬを基準として、ポインタ５０２が、第１の線分（図６の例では、項目Ｐと項目Ｑとの境界線）寄りの位置にあること（図６の例では、中心線ＨＬよりも下側に位置すること）を視覚的に把握することができ、ポインタ５０２のおおよその位置を把握することができ、特に違和感は生じない。
【００９３】
また、位置信号が示す位置が、中心線ＨＬを超えると、ポインタ５０２の位置は、第２の領域内（図６（Ｃ）の例では、項目Ｑの表示区域における、中心線ＨＬよりも上側の領域）の第２の余白領域（図６（Ｃ）における領域γである。但し、上述のとおり、意匠表示領域βとの境界領域を含むものとする）へと移動し、よって、ユーザーは、ポインタ５０２が、第２の線分（図６の例では、項目Ｑと項目Ｒとの境界線）へと向かう方向に動いていることを把握することができ、また、中心線ＨＬを基準として、第２の線分寄りにポインタ５０２があることも把握することができ、この点でも違和感が生じない。このように、意匠との重複を避けつつ、ユーザーに違和感を生じさせずに、ポインタ５０２を無理なく移動させていくことが可能である。
【００９４】
なお、上記の説明において、「第１の領域」について、「図６（Ａ）で、項目Ｑの表示区域における、中心線ＨＬよりも下側の領域」と説明したが、言い換えれば、直線状又は針状のポインタ５０２の先端点が、第１及び前記第２の線分の一方（ここでは、第１の線分）から、他方へと至るまでに移動する距離をＬ（図６において、項目Ｑの表示区域を示す長方形の縦線の長さ）とするとき、その直線状又は針状のポインタ５０２の先端点が（Ｌ／２）の距離（すなわち、半分の距離）を移動するまでに、直線状又は針状のポインタ５０２が通過する領域であって、１つの項目の表示区域（ここでは、項目Ｑの表示区域）の面積を２等分した領域を「第１の領域」とする、ということである。
【００９５】
同様に、「第２の領域」は、「図６（Ａ）で、項目Ｑの表示区域における、中心線ＨＬよりも上側の領域」であるが、言い換えれば、１つの項目の表示区域（ここでは、項目Ｑの表示区域）における、第１の領域以外の、第１の領域と同じ面積の領域を「第２の領域」とする、ということである。
【００９６】
次に、図７を参照する。図７（Ａ）、図７（Ｂ）は、項目の表示区域の境界付近に、重畳表示禁止領域を設けてポインタの重畳表示を禁止する例を示す図である。
【００９７】
図７（Ａ）、図７（Ｂ）の例では、図３（Ｂ）の重複禁止領域設定部６３０は、１つの項目の表示区域に隣接する、他の表示区域との境界線から所定距離の範囲内を、「重畳表示禁止領域」として設定する。図７（Ａ）、図７（Ｂ）では、「重畳表示禁止領域」は、「破線の矩形領域」として示されている。
【００９８】
図７（Ａ）では、ポインタ５０２は、項目の表示区域５１３内の、意匠表示領域の周囲の余白領域（第１の余白領域）に位置しており、意匠との重複は生じていない。しかし、ポインタ５０２は、項目の表示区域５１２との境界付近に位置しており、ユーザーにとっては、どちらの項目を指しているのかを判別しにくい状況である。
【００９９】
ここで、ポインタ５０２の位置に着目すると、ポインタ５０２は、「重畳表示禁止領域（破線の矩形領域）」の内の、項目５１３側の領域Ｚｄに位置していることから、この場合は、図７（Ｂ）に示されるように、ポインタ５０２を、「重畳表示禁止領域Ｚｄ」を避けて、項目の表示区域５１３内の、意匠表示領域寄りの余白領域において表示する。
【０１００】
なお、図７（Ａ）において、ポインタ５０２が、「重畳表示禁止領域（破線の矩形領域）」の内の、項目５１２側の領域Ｚｃに位置している場合は、ポインタ５０２を、「重畳表示禁止領域Ｚｃ」を避けて、項目の表示区域５１２内の、意匠表示領域寄りの余白領域において表示する。
【０１０１】
このように、図７の例では、各項目の表示区域の境界に、ポインタ５０２が指すことができない領域（重畳表示禁止領域）が設定されることから、ポインタ５０２が項目の境界付近を指すことがなくなる。よって、ユーザーは、ポインタ５０２が、どの項目を指しているのかの判断に迷うことがなくなり、車両用表示装置の利便性が、さらに向上する。
【０１０２】
次に、図８を参照する。図８は、ラジアルメニューにおいて、項目の表示区域における意匠との重複を避けてポインタの位置を制御する場合に、ポインタの長さを調整する例を示す図である。
【０１０３】
図８において、ラジアルメニュー５００は、４つの項目（４つの項目の表示区域）５５１〜５５４を含む。項目５５４（項目の表示区域５５４）は、さらに、３つの小項目（小項目の表示区域）５５４−０、５５４−１、５５４−２に区分される。ここで、５５４−０は、例えば、本来は、「ＳＭＡＲＴ  Ｐｈｏｎｅ」という大項目を示す区域であるが、この項目がなくても、「ＭＡＩＬ」という小項目５５４−１、「ＣＡＬＬ」という小項目５５４−２があれば、特に意味的には疑義が生じないことから、ここでは、「ＳＭＡＲＴ  Ｐｈｏｎｅ」という大項目の表示を省略し、ここを余白（空白）領域とし、その余白（空白）領域に、長さを短く調整したポインタ（指針）５０２を配置している。言い換えれば、図８では、意匠表示領域の周囲の余白領域にポインタ５０２を重畳させる態様の変形例として、直線状又は針状のポインタの長さを、適宜、変化させる例が記載されている。
【０１０４】
ポインタ５０２の長さを自在に調整することにより、例えば、余白領域（空白領域）を、より有効に活用して、意匠とポインタ５０２との重複を避けることが可能となる。よって、制御の自由度が向上する。
【０１０５】
次に、図９を参照する。図９は、車両用表示制御処理の主要な手順の一例を示すフローチャートである。
【０１０６】
ステップＳ１において、表示制御装置（図３の符号２１）は、ラジアルメニュー５００を、表示装置１０に表示させる。続いて、ステップＳ２において、表示制御装置２１は、選択装置（車両用ポインティングデバイス）２００からの位置信号（ユーザーの、指等の部位の位置を示す位置情報）を検出する。
【０１０７】
ステップＳ３において、表示制御装置２１は、ポインタ（指針）５０２が、項目の意匠と重なるか否かを判定する。ステップＳ３でＹｅｓの場合は、ステップＳ４にて、表示制御装置２１は、ポインタ（指針）５０２が第１の領域（例えば、図６（Ａ）の例において、項目Ｑの表示区域における、中心線ＨＬよりも下側の領域）にあるか否かを検出する。
【０１０８】
ステップＳ４にてＹｅｓの場合は、ステップＳ５において、表示制御装置２１は、第１の領域内の、第１の余白領域（例えば、図６（Ｂ）の例における余白領域α）に、ポインタ（指針）５０２を表示する。
【０１０９】
ステップＳ４にてＮｏの場合は、ステップＳ６において、表示制御装置２１は、第２の領域内の、第２の余白領域（例えば、図６（Ｃ）の例における余白領域γ）に、ポインタ（指針）５０２を表示する。
【０１１０】
ステップＳ７にて、操作情報（選択装置２００からの選択信号）が取得されると、選択された項目が、階層化されたメニューにおける最下層の項目であるか（言い換えれば、最終選択に係る項目であるか）が判定され、Ｙｅｓの場合は、ステップＳ８にて、処理実行装置（図３（Ａ）の符号２６）が、選択された項目に対応する処理を実行し、Ｎｏの場合は、ステップＳ２に戻る。
【０１１１】
また、上記のステップＳ３にて、Ｎｏであった場合は、ステップＳ１０にて、表示制御装置２１は、ポインタが各項目の境界線付近を指しているかを検出し、Ｙｅｓの場合は、ステップＳ１１にて、各項目の境界線付近を避けた余白領域に、ポインタ（指針）５０２を表示し、Ｎｏの場合は、ステップＳ７に移行する。
【０１１２】
以上説明しように、本発明の実施形態によれば、ポインタ（指針）が、メニュー項目の意匠と重なることなく表示されるため、視認性を低下させることなく、ユーザに、的確に情報を提供することが可能である。言い換えれば、ポインタ（指針）が、メニューにおける１つの項目の表示区域上の意匠と重なることによる、項目の視認性の低下が確実に防止され、したがって、使い勝手に優れた車載機器操作システムを実現することができる。
【０１１３】
なお、本明細書において、車両とは、例えば自動車、電車、飛行機、船舶等の「乗り物」を示す用語として広義に解釈し、又、メニューという用語も、例えば「複数の選択肢を含む表示」というように、広義に解釈するものとする。
【０１１４】
本発明は、上述の例示的な実施形態に限定されず、また、当業者は、上述の例示的な実施形態を特許請求の範囲に含まれる範囲まで、容易に変更することができるであろう。
【符号の説明】
【０１１５】
１・・・車両、１０・・・表示装置、２０・・・制御装置、２１・・・表示制御装置（車両用表示制御装置）、２２・・・メニュー画像生成部、２４・・・・メニュー表示処理部、２６・・・処理実行装置、３０・・・入出力Ｉ／Ｆ（入出力インターフェース）、４０、５０・・・・信号インターフェース（信号Ｉ／Ｆ）、２００・・・選択装置（入力装置、操作装置、車両用ポインティングデバイス）、２１０・・・（円環状の）操作位置検出部、２１１ａ・・・円の円周に沿って連続的に形成された凸部（凸領域）、３０２・・・音声検出部、５００・・・ラジアルメニュー、５０１・・・ＨＵＤ装置、５０２・・・ポインタ（指針）、６００・・・重複検出部、６１０・・・重複態様検出部、６２０・・・制御処理部、６３０・・・重複禁止領域設定部、６４０・・・表示態様決定部、６４２・・・表示項目決定部、６５０・・・画像生成処理部、６６０・・・重複回避処理部、Ｚａ、Ｚｂ・・・第１、第２の領域、ＨＦ・・・項目の表示区域を２等分する２等分線（中心線）、α、γ・・・第１、第２の余白（空白）領域、β（β１、β２）・・・意匠表示領域。
【図１】
2019144813.tif 000003
【図２】
2019144813.tif 000004
【図３】
2019144813.tif 000005
【図４】
2019144813.tif 000006
【図５】
2019144813.tif 000007
【図６】
2019144813.tif 000008
【図７】
2019144813.tif 000009
【図８】
2019144813.tif 000010
【図９】
2019144813.tif 000011